(57)【要約】１実施形態では、方法は、コンピューティング・デバイスによって、画像の寸法に基づいた画像のスクロール範囲を決定することと、画像の起点位置およびデバイスの初期傾けを決定することと、第１の軸の周りの第２の傾けおよび回転速度を決定することと、第２の軸の周りの回転速度を決定することとを含む。方法は、第１の軸の周りのデバイスの回転速度を、第２の軸の周りのデバイスの回転速度または第２の軸の成分の周りのそれと比較することを含む。方法は、比較に基づいて、画像のスクロール提示を表示すべきかどうかを決定することをさらに含む。画像のスクロール提示を表示すべき場合、方法は、スクロール範囲、起点位置、初期傾け、および第２の傾けに基づいて、前進パラメータを決定することと、前進パラメータに基づいて、画像のスクロール提示を表示することとを含む。
2016533593.tif 000002
【特許請求の範囲】
【請求項１】
方法であって、
コンピューティング・デバイスによって、該デバイス上に表示するための画像の寸法に少なくとも部分的に基づいた、該画像のスクロール範囲を決定すること、
該コンピューティング・デバイスによって、該画像の起点位置および該デバイスの初期の傾けを決定すること、
該コンピューティング・デバイスによって、第１の軸の周りの第２の傾けおよび回転速度を決定すること、
該コンピューティング・デバイスによって、第２の軸の周りの回転速度を決定すること、
該コンピューティング・デバイスによって、該第１の軸の周りの該デバイスの回転速度を、該第２の軸の周りまたは該第２の軸の成分の周りの該デバイスの回転速度と比較すること、
該コンピューティング・デバイスによって、該比較することに基づいて、該画像のスクロール提示を表示すべきかどうかを決定すること、
該コンピューティング・デバイスによって、該画像のスクロール提示を表示すべき場合、
該スクロール範囲、該起点位置、該初期の傾け、および該第２の傾けに少なくとも部分的に基づいて、前進パラメータを決定すること、
該前進パラメータに少なくとも部分的に基づいて、該画像のスクロール提示を表示すること、を備える方法。
【請求項２】
前記前進パラメータが、
前記第２の軸の周りの前記回転速度を決定すること、
前記第１の軸の周りの前記回転速度を、前記第２の軸の周りもしくは前記第２の軸の成分の周りの前記回転速度と比較すること、
前記比較することに基づいて、前記画像のスクロール提示を表示すべきかどうかを決定すること
のうちの１つまたは複数と実質的に同時に決定される、請求項１に記載の方法。
【請求項３】
前記第２の軸、または
前記第２の軸の成分
のうちの一方または両方が、前記第１の軸と直交する、請求項１に記載の方法。
【請求項４】
前記第１の軸の周りの前記デバイスの回転速度を、前記第２の軸の周りまたは前記第２の軸の成分の周りの前記デバイスの回転速度と比較することが、
前記第２の軸の周りまたは前記第２の軸の成分の周りの回転速度の、前記第１の軸の周りの回転速度に対する比を決定することを含む、請求項１に記載の方法。
【請求項５】
前記比較することに基づいて、前記画像のスクロール提示を表示すべきかどうかを決定することが、
前記比を事前決定された比と比較すること、
前記比が該事前決定された比よりも大きい場合、前記スクロール提示を表示すべきではないと決定すること、を含む、請求項４に記載の方法。
【請求項６】
前記事前決定された比が、約０．５５の値を有する、請求項５に記載の方法。
【請求項７】
前記第１の軸が、前記画像の平面内に存在し、前記画像が前記第１の軸に沿って非ゼロのスクロール範囲を有する第３の軸と直交する軸を含む、請求項１に記載の方法。
【請求項８】
前記第２の軸が、前記第３の軸である、請求項７に記載の方法。
【請求項９】
前記スクロール範囲が、前記デバイスの向きに依存する、請求項１に記載の方法。
【請求項１０】
前記比較することに基づいて、前記画像の前記スクロール提示を表示すべきかどうかを決定することが、
前記比較することと、
前記デバイスの加速度に基づいて変化する可変閾値と、
に基づいて、前記画像の前記スクロール提示を表示すべきかどうかを決定することを含む、請求項１に記載の方法。
【請求項１１】
前記可変閾値が、前記デバイスの加速度が増加するときに増加する、請求項１０に記載の方法。
【請求項１２】
前記加速度が、直線加速度を含む、請求項１０に記載の方法。
【請求項１３】
前記可変閾値が、最小閾値と最大閾値の間で変化する、請求項１０に記載の方法。
【請求項１４】
前記可変閾値が、傾けの度数に対応する、請求項１０に記載の方法。
【請求項１５】
前記可変閾値が、前記デバイスの回転速度に対応する、請求項１０に記載の方法。
【請求項１６】
前記可変閾値が、前記第２の軸の周りまたは前記第２の軸の成分の周りの前記デバイスの回転速度の、前記第１の軸の周りの前記デバイスの回転速度に対する比に対応する、請求項１０に記載の方法。
【請求項１７】
１つまたは複数のコンピュータ可読非一時的記憶媒体であって、
実行されると、
デバイス上に表示するための画像の寸法に少なくとも部分的に基づいた、該画像のスクロール範囲を決定すること、
該画像の起点位置および該デバイスの初期の傾けを決定すること、
第１の軸の周りの第２の傾けおよび回転速度を決定すること、
第２の軸の周りの回転速度を決定すること、
該第１の軸の周りの該デバイスの回転速度を、該第２の軸の周りまたは該第２の軸の成分の周りの該デバイスの回転速度と比較すること、
該比較することに基づいて、該画像のスクロール提示を表示すべきかどうかを決定すること、
該画像の該スクロール提示を表示すべき場合、
該スクロール範囲、該起点位置、該初期の傾け、および該第２の傾けに少なくとも部分的に基づいて、前進パラメータを決定すること、
該前進パラメータに少なくとも部分的に基づいて、該画像のスクロール提示を表示すること、を実行するように動作可能なソフトウェアを実装する１つまたは複数のコンピュータ可読非一時的記憶媒体。
【請求項１８】
前記第１の軸の周りの前記デバイスの回転速度を、前記第２の軸の周りまたは前記第２の軸の成分の周りの前記デバイスの回転速度と比較することを実行されたときに行うように動作可能な前記ソフトウェアが、
実行されると、前記第２の軸の周りまたは前記第２の軸の成分の周りの回転速度の、前記第１の軸の周りの回転速度に対する比を決定することを実行するように動作可能なソフトウェアを含む、請求項１７に記載の１つまたは複数のコンピュータ可読非一時的記憶媒体。
【請求項１９】
実行されると、前記比較することに基づいて、前記画像の前記スクロール提示を表示すべきかどうかを決定することを実行するように動作可能な前記ソフトウェアが、
実行されると、
前記比較することと、
前記デバイスの加速度に基づいて変化する可変閾値と、
に基づいて、前記画像の前記スクロール提示を表示すべきかどうかを決定することを実行するように動作可能なソフトウェアを含む、請求項１７に記載の１つまたは複数のコンピュータ可読非一時的記憶媒体。
【請求項２０】
システムであって、
１つまたは複数のプロセッサと、
該１つまたは複数のプロセッサに結合され、該１つまたは複数のプロセッサによって実行可能な命令を含むメモリと、を備え、
該プロセッサが、該命令を実行したときに、
デバイス上に表示するための画像の寸法に少なくとも部分的に基づいた、該画像のスクロール範囲を決定すること、
該画像の起点位置および該デバイスの初期の傾けを決定すること、
第１の軸の周りの第２の傾けおよび回転速度を決定することと、
第２の軸の周りの回転速度を決定すること、
該第１の軸の周りの該デバイスの回転速度を、該第２の軸の周りまたは該第２の軸の成分の周りの該デバイスの回転速度と比較すること、
該比較することに基づいて、該画像のスクロール提示を表示すべきかどうかを決定すること、
該画像の該スクロール提示を表示すべき場合、
該スクロール範囲、該起点位置、該初期の傾け、および該第２の傾けに少なくとも部分的に基づいて、前進パラメータを決定すること、
該前進パラメータに少なくとも部分的に基づいて、該画像のスクロール提示を表示すること、を実行するように動作可能である、システム。
【発明の詳細な説明】
【技術分野】
【０００１】
本開示は、概して、電子デバイス上にコンテンツを表示することに関する。
【背景技術】
【０００２】
スマートフォン、タブレット・コンピュータ、またはラップトップ・コンピュータなどモバイル・コンピューティング・デバイスは、ＧＰＳ受信機、方位磁石、ジャイロスコープ、または加速度計など、その場所、方向、または向きを決定するための機能を含むことがある。そのようなデバイスは、Ｂｌｕｅｔｏｏｔｈ（登録商標）通信、近距離通信（ＮＦＣ）、もしくは赤外線（ＩＲ）通信、またはワイヤレス・ローカル・エリア・ネットワーク（ＷＬＡＮ）もしくはセルラ電話ネットワークなど、無線通信のための機能も含む。そのようなデバイスは、１つまたは複数のカメラ、スキャナ、タッチ・スクリーン、マイクロフォン、またはスピーカも含むことがある。モバイル・コンピューティング・デバイスはまた、ゲーム、ウェブ・ブラウザ、またはソーシャルネットワーキング・アプリケーションなど、ソフトウェア・アプリケーションを実行することができる。ソーシャルネットワーキング・アプリケーションを用いて、ユーザは、自分のソーシャル・ネットワーク内の他のユーザとつながり、通信し、情報を共有することができる。
【発明の概要】
【課題を解決するための手段】
【０００３】
画像が、画像全体を１度に表示するには十分な大きさを有さない画面上に表示される場合、特定の実施形態は、ユーザが、傾け動作を用いることによって、１つまたは複数の軸に沿って、１つまたは複数の方向に画像をスクロールさせることを可能にすることができる。画像は、限定ではなく、例として、写真、フォト・アルバムとして表された多数の写真、電子メールのリスト、ウェブ・ページ、地図、音楽のライブラリの視覚的表現、ビデオ・ゲーム、または技術的な図を含む、画面上に表示することができる任意の視覚的コンテンツを含むことができる。
【０００４】
コンピューティング・デバイスは、画像のスクロール範囲を決定し、（例えば、ジャイロスコープなどの）１つまたは複数の傾きセンサに従って初期の傾けを測定し、画像の起点位置を決定することができる。コンピューティング・デバイスは、ディスプレイ上において画像の提示を更新すべきであると決定した場合、センサからの入力およびスクロール範囲に基づいて前進パラメータを計算し、前進パラメータに基づいて画像の提示を更新する。コンピューティング・デバイスは、動きが検出されたことを示す指示をセンサから受け取り続けるのにつれて、画像の提示を適切に更新し続ける。コンピューティング・デバイスは、起点位置を修正するためのユーザ入力も受け取ることができ、その時点から、スクロールは、新しい起点位置に基づいて継続することができる。
【０００５】
画像の提示を更新すべきであるという決定は、（例えば、初期傾けがその周りで測定される軸など）第１の軸の周りのデバイスの回転速度の、（例えば、第１の軸と直交する軸など）第２の軸または第２の軸の成分の周りのデバイスの回転速度との比較に基づくことができる。例えば、第２の軸の周りの回転速度の第１の軸の周りの回転速度に対する比は、閾値と比較することができ、比が閾値を超える場合、画像の提示は更新されなくてよい。画像の提示を更新すべきであるという決定は、例えば、デバイスの加速度が増加したときに増加し、デバイスの加速度が減少したときに減少することによって、デバイスの加速度とともに変化する可変閾値に基づくことができる。閾値は、例えば、上述された比など、デバイスの運動の任意の適切な特性に対応することができる。
【図面の簡単な説明】
【０００６】
【図１Ａ】本明細書で開示される特定の実施形態による、画像のスクロールを示すワイヤフレーム。
【図１Ｂ】本明細書で開示される特定の実施形態による、画像のスクロールを示すワイヤフレーム。
【図１Ｃ】本明細書で開示される特定の実施形態による、画像のスクロールを示すワイヤフレーム。
【図１Ｄ】本明細書で開示される特定の実施形態による、画像のスクロールを示すワイヤフレーム。
【図１Ｅ】本明細書で開示される特定の実施形態による、画像のスクロールを示すワイヤフレーム。
【図１Ｆ】本明細書で開示される特定の実施形態による、画像のスクロールを示すワイヤフレーム。
【図２】本明細書で開示される特定の実施形態による、画像をスクロールさせるための例示的な方法を示す図。
【図３】例示的なコンピュータ・システムを示す図。
【発明を実施するための形態】
【０００７】
画像が、画像全体を１度に表示するには十分な大きさを有さない画面上に表示される場合、特定の実施形態は、ユーザが、傾け動作を用いることによって、１つまたは複数の方向に画像をスクロールさせることを可能にすることができる。画像は、限定ではなく、例として、写真、フォト・アルバムとして表された多数の写真、電子メールのリスト、ウェブ・ページ、地図、広告、音楽のライブラリの視覚的表現、ビデオ・ゲーム、映画もしくは他の合理化グラフィカル・コンテンツ（streamlining graphical content）、または技術的な図を含む、画面上に表示することができる任意の適切な視覚的コンテンツを含むことができる。
【０００８】
コンピューティング・デバイスは、画像のスクロール範囲を決定し、ジャイロスコープ、磁気計、または加速度計などの任意の適切な傾きセンサ（orientation sensor）に従って、初期の傾き（initial tilt）を測定することができる。コンピューティング・デバイスは、画像の起点位置を決定することができる。コンピューティング・デバイスは、スクロールを起動するための閾値が満たされたことを示す指示（indication）を傾きセンサから受け取ると、センサからの入力およびスクロール範囲に基づいて、前進パラメータを計算する。その後、コンピューティング・デバイスは、前進パラメータに基づいて、画像の提示を更新する。コンピューティング・デバイスは、動きが検出されたことを示す指示をセンサから受け取り続けるのにつれて、画像の提示を適切に更新し続ける。コンピューティング・デバイスは、起点位置を修正するためのユーザ入力も受け取ることができ、その時点から、スクロールは、新しい起点位置に基づいて継続することができる。
【０００９】
図１Ａ〜図１Ｆは、本明細書で開示される特定の実施形態による、画像のスクロールについての例示的な使用事例を示すワイヤフレームである。図１Ａに示されるように、ユーザは、スマートフォンなどのコンピューティング・デバイスを使用して、海辺の景色を写したパノラマ写真を見ることができるが、パノラマ写真は、画像全体が画面上に現れるようにサイズ変更した場合、望ましいサイズよりも小さくなることがある。コンピューティング・デバイスの実施形態は、図３に関してさらに詳細に説明される。ユーザは、画像上でズームインを行って、図１Ｂに示されるように、画像の縦の大きさ全部がディスプレイ領域全体を満たすようにすることができることがある。この時点において、ユーザは、画像平面内の軸（例えば、図１Ｂにおいて破線で示された縦軸など）を軸としてスマートフォンを左右に傾けて、パノラマ画像を前後にスクロールさせ、パノラマ画像の全体を画像の左端から画像の右端へと、また右端から左端へと見てゆくことができる。別例として、ユーザは、スマートフォンを使用して、連絡先リストを見ることができ、別の軸（例えば、画像平面内の横軸など）を軸としてスマートフォンを上下に傾けて、連絡先リストをスクロールさせることができる。別例では、ユーザは、スマートフォンを使用して、地図を見ることができ、表示画面の平面内の横軸および／または縦軸など、任意の適切な軸を軸としてスマートフォンを任意の方向に傾けて、地図をスクロールさせることができる。本開示の範囲内では、「傾ける（tilting）」は、適切な傾きセンサによって測定することができる任意の動作を指し、「傾け（tilt）」の測定は、センサによって測定することができるロール、ピッチ、ヨー、またはそれらの任意の組み合わせの任意の測定を指す。本明細書で説明されるいくつかの実施形態は、傾けがその周りで行われ得る単一の軸に言及することがあるが、本開示は、任意の適切な軸または軸の組の周りの傾けを企図している。
【００１０】
特定の実施形態では、図１Ｂに示された例に示されるように、（ズームイン・コマンドを受け取った直後に）画像が表示されたとき、写真は、パノラマ画像全体に関して、その中央が提示されるように提示され、この例示的な起点位置は、スクロールがそこから開始することができる画像内の位置である。特定の実施形態では、起点位置は、特定のアプリケーションに従って、画像内の何らかの位置に設定することができる。例えば、ユーザが、１つまたは複数の本を視認によって見つけるために、図書館の本棚のパノラマ画像を眺めてゆくように求められるアプリケーションでは、起点位置は、画像の左端に設定することができる。連絡先リストの別例では、起点位置は、リストの最上部、または選択されたアルファベット文字についての連絡先リスト内の最初のエントリに設定することができ、ユーザは、そこからスクロールダウンすること（およびスクロールアップして戻ること）ができる。特定の実施形態では、起点位置は、ユーザ選択に従って、画像内の何らかの位置に設定することができる。例えば、米国の地図を表示する場合、起点位置は、ユーザによって選択された場所（例えば、グランド・キャニオン地域）に設定することができ、ユーザは、そこから地図を任意の方向にスクロールさせることができる。特定の実施形態では、起点位置は、関連する要因に従って、画像内の適切な位置に設定することができる。
【００１１】
特定の実施形態では、図１Ｂに示された例に示されるように、（やはり、ズームイン・コマンドを受け取った直後に）画像が表示されたとき、コンピューティング・デバイスは、スクロールを開始するようにユーザを促す、および／またはそのような機能が利用可能であることをユーザに通知する、視覚的インジケータも表示することができる。インジケータは、スクロールがどちらの方向に可能であるかを示すことができ、図１Ｂに示されるように、スクロールは、両方向に可能であり、一方、図１Ｆでは、（画像の端に達しているので）スクロールは、１方向にのみ可能である。
【００１２】
図１Ｃ〜図１Ｆは、図１Ａのパノラマ写真のズームイン表示を、図１Ｂに示されるような起点位置および傾動軸の周りの０°の例示的な初期の傾けから開始して、スクロールさせる例を示している。図１Ｃ〜図１Ｆに示されるように、ユーザが、コンピューティング・デバイスを初期の傾けから（コンピューティング・デバイスを保持しているユーザに対して）時計回りに傾け始めると、コンピューティング・デバイスは、傾動軸の周りの第２の傾け（second tilt）を測定することによって、動きを検出する。特定の実施形態では、第２の傾けは、初期の傾けを起点に測定することができる。特定の実施形態では、第２の傾きおよび初期の傾けは、基準傾き、例えば、０°を起点に測定することができる。特定の実施形態では、スクロールを起動するための閾値が満たされると（例えば、コンピューティング・デバイスを初期の傾けからいずれかの方向に２°の最小変化分よりも大きく傾けると、またはコンピューティング・デバイスをいずれかの方向に最小回転速度よりも速く傾けると）、コンピューティング・デバイスは、以下でより完全に説明されるように、測定された傾けに従って、画像をスクロールさせ始める。図１Ｃ〜図１Ｆに示されるように、傾けが増加するにつれて、画像がスクロールされる量も、増加することができ、それは、端に達するのに必要な度数までユーザがコンピューティング・デバイスを傾けて、図１Ｆにあるように、画像の端に達するまで増加することができる。
【００１３】
図２は、特定の実施形態による、画像をスクロールさせるための例示的な方法２００を示している。方法は、工程２１０において開始することができ、コンピューティング・デバイスは、表示するために画像を描画し、提示する。特定の実施形態では、コンピューティング・デバイスは、統合ディスプレイ画面（integrated display screen）を有するハンドヘルド・デバイスを含むことができる。特定の実施形態では、コンピューティング・デバイスは、外部ディスプレイ画面に接続することができる。本開示の範囲内では、第１の構成要素が第２の構成要素に接続されると言われるのは、それが（例えば、ワイヤもしくはコードを介して）物理的に接続される場合、（例えば、ブルートゥース、近距離無線通信（ＮＦＣ）、ＲＦ、もしくはＷｉ−Ｆｉを介して）無線で接続される場合、または他の任意の種類のネットワーク（例えば、ＬＡＮ、プライベートＷＡＮ、もしくはインターネット）を通して接続される場合である。
【００１４】
工程２２０において、コンピューティング・デバイスは、軸に対して画像のスクロール範囲を決定する。特定の実施形態では、スクロール範囲は、画像のアスペクト比および画像の絶対寸法に基づいて決定され、例えば、ｓｃｒｏｌｌＲａｎｇｅ＝（（ｐｈｏｔｏＷｉｄｔｈ／ｐｈｏｔｏＨｅｉｇｈｔ）×（ＤＥＧＲＥＥＳ＿ＴＯ＿ＲＡＤＩＡＮＳ（ｔｉｌｔＲａｎｇｅ）／（ｌｅｎｇｔｈ／ｈｅｉｇｈｔ）））であり、ここで、ｔｉｌｔＲａｎｇｅは、画像の１端から反対端までのスクロールに必要とされる傾けの度数であり、ｌｅｎｇｔｈ×ｈｅｉｇｈｔは、画像のアスペクト比である（ここでｌｅｎｇｔｈは、スクロールがそれに沿って生じ得る次元である）。ｔｉｌｔＲａｎｇｅパラメータは、画像のアスペクト比に従って変化することができ、その結果、アスペクト比が３×１であるパノラマ画像の長さ方向のスクロールの場合、より大きいｔｉｌｔＲａｎｇｅを使用することができ、一方、３×３の画像の長さ方向のスクロールの場合、より小さいｔｉｌｔＲａｎｇｅを使用することができる。特定の実施形態では、ｔｉｌｔＲａｎｇｅは、ユーザが画面を見るのに苦労するような大きさまでデバイスを傾ける必要がないことを保証するために制約を受けることもある。特定の実施形態では、スクロール範囲は、デバイスの向きに基づくことができる。例えば、長方形ディスプレイを有するデバイスは、デバイスがランドスケープ・モードで見られているか、それともポートレート・モードで見られているかに基づいて、画像の様々な部分を提示することができ、したがって、デバイスがランドスケープ・モードで見られているか、それともポートレート・モードで見られているかに基づいて、画像の寸法に対して様々なスクロール範囲を計算することができる。
【００１５】
工程２３０において、コンピューティング・デバイスは、例えば、ジャイロスコープ・センサを使用して、初期の傾けを測定する。初期の傾けは、初期の傾けの以降の変化がそこを起点に測定される基準点とすることができる。例えば、デバイスを保持しているユーザが、それをほぼ完璧に水平に保持しているために、統合ジャイロスコープを有する、横向きでパノラマ画像を表示しているハンドヘルド・コンピューティング・デバイスが、デバイスを高さ方向に貫く軸に対する傾けを０．３°であると測定した場合、デバイスによって登録される、以降の動作に関して測定されるいずれの傾けも、初期の傾けからの変化分として測定される。特定の実施形態では、ユーザがその同じ画像を見ている間に全般的な向きが変化した場合（例えば、ユーザがスマートフォンを使用しながら横向きに寝た場合）、コンピューティング・デバイスは、ディスプレイに関して画像の提示をスクロールさせるための軸を保ちながら、以降の傾け測定を適切に適用して、以下でより十分に説明される前進パラメータを決定するために、初期の傾けを更新することができる。デバイスによって登録される、以降の動作に関して測定されるいずれの傾けも、更新された初期の傾けからの変化分として測定される。図１Ｂに示された例に示されるように、初期の傾けは、０°と測定される。特定の実施形態では、コンピューティング・デバイスは、統合ジャイロスコープを有するハンドヘルド・デバイスを含むことができる。特定の実施形態では、コンピューティング・デバイスは、ジャイロスコープを備える外部ハンドヘルド・コントローラに接続することができる。
【００１６】
工程２４０において、コンピューティング・デバイスは、起点位置を決定する。図１Ｂに関して上で説明されたように、起点位置は、特定のアプリケーションに従って、ユーザ選択に従って、画像内の特定の位置に設定することができ、または関連する要因に従って、画像内の適切な位置に設定することができる。
【００１７】
工程２５０において、コンピューティング・デバイスは、１つまたは複数の要因に基づいて、（例えば、画像のスクロールの起動などによって）画像提示を更新するかどうかを決定する。特定の実施形態では、要因は、軸の周りの第２の傾け（すなわち、初期の傾け以降の傾け）とすることができる。例えば、第２の傾けは、初期の傾けに対して測定することができ、または初期の傾けおよび第２の傾けの両方がそこを起点に測定される基準傾きに対して測定することができる。
【００１８】
上述されたように、スクロールを起動するために、閾値を使用することができる。閾値起動は、意図しない手の震えが原因の、または乗物に乗っているなど、不安定な環境が原因のデバイスの動きなどによる、意図しないスクロールを防止する助けとなり得る。例示的な１実施形態では、閾値は、測定された傾けの、初期の傾けに対する、いずれかの方向における最小変化を含むことができる。例示的な別の実施形態では、閾値は、（例えば、スクロール機能がコンピューティング・デバイスの急激な傾け動作によって起動される場合の）いずれかの方向における最小回転速度を含むことができる。
【００１９】
特定の実施形態では、画像提示を更新するかどうかの決定は、第１の軸の周りのデバイスの回転速度を、第２の軸または第２の軸の成分の周りのデバイスの回転速度と比較することを含む。例えば、第１の軸は、初期の傾けの成分がその周りで測定される軸とすることができる。上述されたように、特定の実施形態では、その軸は、画像平面内に存在することができる。第２の軸は、例えば、第１の軸と直交する軸など、他の任意の適切な軸とすることができる。同様に、第２の軸の成分は、例えば、第１の軸と直交する成分など、その軸の任意の適切な成分とすることができる。第２の軸は、第１の軸と直交する画像平面内に存在し、画像がスクロール範囲を有さない次元に沿った方向に延びることができる。第１の軸の周りの回転速度と、（本明細書で使用される場合、必要に応じて、第２の軸の成分の周りの回転速度を含む）第２の軸の周りの回転速度は、第２の軸の周りの回転速度の第１の軸の周りの回転速度に対する比を決定することによって、比較することができる。特定の実施形態では、その比は、閾値と比較することができ、比が閾値よりも大きい場合、画像提示は更新されない。例えば、第１の軸の周りの回転速度のパーセンテージで示した第２の軸の周りの回転速度が、（例えば、０．５５などの）閾値よりも大きい場合、画像のスクロールは、生じなくてよい。
【００２０】
特定の実施形態では、画像提示を更新するかどうかの決定は、デバイスの加速度に基づいて変化する可変閾値の使用を含む。例えば、閾値は、デバイスの加速度が増加したときに、増加することができる（すなわち、デバイスの加速度が相対的に大きいときは、画像をスクロールさせるために、より意図的に傾けることが必要とされる）。閾値は、デバイスの加速度が減少するにつれて、減少することができる。特定の実施形態では、閾値は、最大閾値と最小閾値の間で、加速度の関数として増加することができ、加速度の（同じまたは異なる）関数として減少することができる。特定の実施形態では、加速度は、直線加速度（すなわち、デバイスの速度ベクトルの大きさの変化）、角加速度、デバイスの速度ベクトルの方向の変化、またはそれらの任意の適切な組み合わせを含むことができる。閾値は、例えば、デバイスの傾けの度数、デバイスの回転速度、２つの異なる軸の周りのデバイスの回転速度の比（例えば、上で説明された比）、またはそれらの任意の適切な組み合わせなど、任意の適切なメトリックと比較することができる。
【００２１】
工程２６０において、コンピューティング・デバイスは、センサからの入力およびスクロール範囲に基づいて、画像をいかにスクロールさせるかを示す前進パラメータを計算する。例えば、前進パラメータは、実行されるスクロールの量、スクロールを実行すべきスピード、その両方、または他の任意の適切なパラメータを含むことができる。前進パラメータは、限定ではなく、例として、（１）初期の傾け測定、（２）傾きセンサによって報告された現在の（すなわち、第２の）傾け測定、（３）ジャイロスコープによって報告された先行する傾け測定と現在の傾け測定との間の変化分であって、傾きセンサが、ある間隔で測定をサンプリングすることができる、変化分、（４）傾きセンサによって報告された先行する傾け測定と現在の傾け測定との間の変化分に基づいて計算される回転、（５）最後の傾け測定について決定される、絶対位置に対する起点位置のオフセット、または（６）傾きセンサによって通知された現在の傾け測定について決定される、絶対位置に対する起点位置のオフセットを含む、１つまたは複数の属性を含むことができる。特定の実施形態では、ユーザのデバイスの持ち方の緩やかな変化がスクロールをトリガしないようにするために、前進パラメータは、最小回転速度を満たすことが必要とされることがある。
【００２２】
特定の実施形態では、（ユーザがスクロール範囲を超えてスクロールすることができないように）入力データを画像の寸法に制限するために、入力を切り詰めることができる。特定の実施形態では、ジャイロスコープから受け取った入力データは、手の震えに起因する揺れを低減または除去して、滑らかなスクロール動作を生み出すために、平滑化することができる。入力の平滑化は、（入力内のスパイクを除去するために）ローパス・フィルタを入力データに適用すること、および／または（途切れずに進行する滑らかなスクロール動作を生み出すために）ＲＫ４（ルンゲ−クッタ）ソルバを入力データに適用することを含むことができる。
【００２３】
工程２７０において、コンピューティング・デバイスは、前進パラメータ（progress parameter）に基づいて、画像のスクロールを示すために画像提示を更新する。画像提示は、仮想ばね効果などの特別な効果を含むことができる（例えば、画像は、画像の端に向かってスクロールされて、端に「ぶつかった」ときに跳ね返り、および／または画像スクロールは、端が近づいて、仮想ばねがより大きく引き延ばされるにつれて遅くなる）。特定の実施形態では、画面上に表示される画像の動きは、仮想ばねの１方の端を起点位置にある画像に取り付け、仮想ばねの別の端を画面上の位置（例えば、画面の中心、画面の角隅、または画面の端）に取り付けることによって、シミュレートすることができる。任意の数の仮想ばねをオブジェクトに取り付けることができる。特定の実施形態では、オブジェクトの動きは、フックの法則：Ｆ＝−ｋｘに基づいて決定することができ、ここで、ｘは、その平衡位置からのばねの端部の変位（例えば、距離、ＳＩ単位では、メートル）であり、Ｆは、その端部においてばねによってもたらされる復元力（ＳＩ単位では、Ｎまたはｋｇ・ｍ／ｓ２）であり、ｋは、レートまたはばね定数と呼ばれる定数（ＳＩ単位では、Ｎ／ｍまたはｋｇ／ｓ２）である。この等式が成り立つ場合、挙動は線形であると言われる。等式の右辺に負の符号が存在するのは、復元力は、常に、変位とは反対方向に働くためである（例えば、ばねが左に引き延ばされる場合、ばねは右に引き戻される）。一般に、ばねの動きを決定する際、以下の特性、すなわち、質量、減衰、ばね剛性、ばね静止長が関与する。いくつかの実施では、仮想質量をオブジェクトに割り当てることができる。
【００２４】
特定の実施形態では、仮想ばねは、表示される画像の属性に基づいて、異なる状態値を有することができる。ばねは、オブジェクトの動きのアニメーション系列がより自然らしく見えるようにするために、切れる代わりに、１組の状態値から別の組へと傾斜することができる。例えば、アニメーションにおいて使用されるばねのきつさ、または１組の状態値から別の組への傾斜のレベルを決定するために、画像の端と起点位置との間の距離を使用することができる。
【００２５】
特定の実施形態では、物理学エンジンが、ばねの動きをシミュレートするアルゴリズムを実施する。１つまたは複数の仮想ばねをオブジェクトに取り付けることができる。例えば、画面上に表示された画像のスクロールを起動するために、コンピューティング・デバイスが傾けられた場合、画像内の起点位置に仮想ばねを取り付けることができる。オブジェクトが動く（例えば、傾け動作によってスクロールされる）とき、オブジェクトの動きが、ばねの動きの物理学に基づいて、アニメーション化されるように、その動きは、仮想ばねの経路を辿る。特定の実施形態では、アルゴリズムは、張力、質量、減衰効果、測定された傾けなどの変数を考慮することができる。例として、画像が、起点位置から離れて、端に近づくようにスクロールされる（それによって、ばねをより大きく引き延ばす）場合、スクロール・スピードは、低下することが可能である。反対に、画像が、起点位置に戻るようにスクロールされる場合、スクロール・スピードは、スピードアップすることが可能である。別例において、画像が、起点位置から離れるようにスクロールされ、端に「ぶつかった」場合、画像は、端に達して跳ね返ったように見えることが可能である。
【００２６】
特定の実施形態では、オブジェクト上でズームインが行われた場合、オブジェクトは、サイズが大きくなる。オブジェクト上でズームアウトが行われた場合、オブジェクトは、サイズが小さくなる。オブジェクトのサイズの変化は、アニメーション系列で描写することができ、オブジェクトの動きは、ばねの動きに基づくことができる。特定の実施形態では、オブジェクトが、最終目的位置に向かって移動する場合、オブジェクトの中間位置は、ばねの動きに基づいて補間することができる。起点位置が、新しい起点位置の指定に基づいて修正される場合、仮想ばねは、新しい起点位置に取り付け直すことができる。
【００２７】
工程２８０において、ユーザがコンピューティング・デバイスを傾け続けている場合、コンピューティング・デバイスは、センサが動きを検出していることを示す継続的な標識を受け取ることができる。特定の実施形態では、図２の方法は、センサが実質的に連続的な動きを検出する限り、工程２６０から繰り返すことができる。特定の実施形態では、コンピューティング・デバイスが、閾値期間よりも長い間、動きがないことを検出した場合、またはコンピューティング・デバイスが、センサによって検出された動作の大きさが閾値よりも下がったことを検出した場合、コンピューティング・デバイスは、工程２５０に戻ることができ、または画像を自動的にパンしていくことができる。
【００２８】
工程２８５において、デバイスは、画像をその起点位置に戻すべきであることを示す入力を受け取る。特定の実施形態では、起点位置は、事前決定された動きの直前の画像の位置とすることができる。入力は、任意の適切なタイプのものとすることができる。例えば、入力は、デバイスの事前決定された動きとすることができる。本明細書で使用される場合、適切なときは、「事前決定された動き」は、動き、その動きの属性もしくは態様、またはその両方を含む。例えば、事前決定された動きは、特定の振動数で、特定の持続時間にわたって、または特定の力の量で、デバイスを振ることを含むことができる。
【００２９】
特定の実施形態では、事前決定された動きは、例えば、傾動軸の周りのある量の第２の傾けなど、任意の適切な軸の周りのデバイスの回転を含むことができる。例えば、事前決定された動きは、初期の傾けに対して少なくとも９０°の傾けとすることができる。別例として、事前決定された動きは、例えば、少なくとも１８０°の回転など、適切な基準点に対するある量の回転とすることができる。別例として、事前決定された動きは、事前決定された長さの時間内の回転を含むことができる。特定の実施形態では、事前決定された動きは、例えば、第２の傾けと関連付けられた加速度など、傾けと関連付けられた加速度を含むことができる。例えば、事前決定された動きは、（少なくとも１０πラジアン毎秒毎秒など）相対的に高い角加速度の傾けとすることができる。特定の実施形態では、事前決定された動きは、画像のスクロール範囲の限界を超えて画像をスクロールさせようとする試みとなる動きとすることができる。特定の実施形態では、視覚的インジケータは、画像が配置し直されようとしていることをユーザに通知することができる。例えば、スクロール範囲の端に達したとき、画像のばねに似た跳ね返りなどの効果は、画像が配置し直されつつある、または配置し直されようとしていることを示すことができる。
【００３０】
特定の実施形態では、事前決定された動きは、事前決定されていなければ画像をスクロールさせる動き、すなわち、工程２５０において必要とされたデバイスに画像提示の更新を決定させる動きとすることができる。例えば、初期の傾けに続く傾動軸の周りの第２の傾けは、画像のスクロールを引き起こすことができ、（傾けの度数、傾けの変化率、または他の任意の適切な態様など）傾けの特定の態様は、事前決定された動きとすることができる。それらの事前決定された動きは、事前決定されていなければ工程２５０の要件を満たすにもかかわらず、デバイス上で画像をスクロールさせることを意図していない動きを識別するために使用することができる。例えば、ユーザは、ユーザの向かいに座っている友人に画像が表示されることを望むことがあり、その友人に画像が表示されるようにデバイスを回転させることがある。デバイスの回転は、スクロールを引き起こし得るが、回転の度数、回転のスピード、回転の突然の停止もしくは回転の特定の地点（例えば、１８０°）における回転の停止、またはそれらの任意の組み合わせは、デバイスの回転の直前の起点位置などの起点位置に画像を戻す事前決定された動きとすることができる。したがって、画像は、それが回転前にユーザに見えていたように、友人に表示される。
【００３１】
特定の実施形態では、事前決定された動きの間中、定期的に配置し直しが生じる。特定の実施形態では、事前決定された動きの終了時に、配置し直しが生じる。例えば、配置し直しは、事前決定された動きが完了してから事前決定された時間が経過した後に生じることができる。別例として、配置し直しは、事前決定された動きが完了し、ある期間にわたってデバイスを実質的に静止させた後に生じることができる。
【００３２】
工程２９０において、コンピューティング・デバイスは、起点位置を新しい起点位置に修正するための入力を受け取ることができる。ユーザは、起点位置から離れて新しい位置に向かうようにスクロールした後、（例えば、新しい位置上でクリックし、指で押さえることで）起点位置を新しい位置に修正することができる。その場合、コンピューティング・デバイスは、新しい起点位置を決定するために、工程２４０に戻ることができ、その後、新しい起点位置に基づいて、スクロール機能を提供し続けることができる。
【００３３】
特定の実施形態では、画像が画面上に最初に表示されるとき、画像を１度自動的にパンしてゆくことができ、その後、パンが完了すると、画像は、コンピューティング・デバイスを傾けることによってスクロールさせる方法で利用可能にすることができる。画像をパンしてゆくことに関連して、特定の実施形態は、限定としてではなく、例として、本願明細書に援用される、２０１２年１１月１４日に出願された「画像パンおよびズーム効果（Ｉｍａｇｅ  Ｐａｎｎｉｎｇ  ａｎｄ  Ｚｏｏｍｉｎｇ  Ｅｆｆｅｃｔ）」と題する米国特許出願第１３／６７６８３１号において開示されている、１つまたは複数のシステム、コンポーネント、要素、機能、方法、操作、または工程を利用することができる。
【００３４】
特定の実施形態は、適切な場合、図２の方法の１つまたは複数のステップを繰り返してもよい。本開示は、図２の方法の特定のステップについて特定の順序で行われるものとして述べ、示しているが、本開示は、任意の好適な順序で行われる図２の方法の任意の好適なステップを企図する。さらに、本開示は、図２の方法の特定のステップを実施する特定の構成要素、デバイス、またはシステムについて述べ、示しているが、本開示は、図２の方法の任意の好適なステップを実施する任意の好適な構成要素、デバイス、またはシステムの任意の好適な組合せを企図する。
【００３５】
図３は、例示的なコンピュータ・システム３００を示す。特定の実施形態では、１または複数のコンピュータ・システム３００は、本明細書に記載され、または示されている１または複数の方法の１または複数のステップを実施する。特定の実施形態では、１または複数のコンピュータ・システム３００は、本明細書に記載され、または示されている機能を提供する。特定の実施形態では、１または複数のコンピュータ・システム３００上で動作するソフトウェアは、本明細書に記載され、または示されている１または複数の方法の１または複数のステップを実施し、または本明細書に記載され、または示されている機能を提供する。特定の実施形態は、１または複数のコンピュータ・システム３００の１または複数の部分を含む。本明細書では、コンピュータ・システムに言及することは、適切な場合、コンピューティング・デバイスを包含してもよく、逆も同様である。さらに、コンピュータ・システムに言及することは、適切な場合、１または複数のコンピュータ・システムを包含してもよい。
【００３６】
この開示は、任意の好適な数のコンピュータ・システム３００を企図する。この開示は、任意の好適な物理形態をとるコンピュータ・システム３００を企図する。限定するものとしてではなく一例として、コンピュータ・システム３００は、組込みコンピュータ・システム、システム・オン・チップ（ＳＯＣ）、シングルボード・コンピュータ・システム（ＳＢＣ）（たとえば、コンピュータ・オン・モジュール（ＣＯＭ）またはシステム・オン・モジュール（ＳＯＭ）など）、デスクトップ・コンピュータ・システム、ラップトップもしくはノートブック・コンピュータ・システム、対話キオスク、メインフレーム、コンピュータ・システムのメッシュ、移動体電話、携帯情報端末（ＰＤＡ）、サーバ、タブレット・コンピュータ・システム、またはこれらの２以上の組合せであってよい。適切な場合、コンピュータ・システム３００は、１または複数のコンピュータ・システム３００を含んでもよく、一元的なものであっても分散型であってもよく、複数のロケーションに跨ってもよく、複数のマシンに跨ってもよく、複数のデータ・センタに跨ってもよく、クラウド内にあってもよく、クラウドは、１または複数のネットワーク内で１または複数のクラウド・コンポーネントを含んでもよい。適切な場合、１または複数のコンピュータ・システム３００は、実質的な空間的または時間的制限なしに、本明細書に記載され、または示されている１または複数の方法の１または複数のステップを実施してもよい。限定するものとしてではなく一例として、１つまたは複数のコンピュータ・システム３００は、リアルタイムで、またはバッチ・モードで、本明細書に記載され、または示されている１または複数の方法の１または複数のステップを実施してもよい。１または複数のコンピュータ・システム３００は、適切な場合、異なる時に、または異なるロケーションで、本明細書に記載され、または示されている１または複数の方法の１または複数のステップを実施してもよい。
【００３７】
特定の実施形態では、コンピュータ・システム３００は、プロセッサ３０２、メモリ３０４、ストレージ３０６、入力／出力（Ｉ／Ｏ）インターフェース３０８、通信インターフェース３１０、およびバス３１２を含む。この開示は、特定の数の特定の構成要素を特定の構成で有する特定のコンピュータ・システムについて記載し示しているが、この開示は、任意の好適な数の任意の好適な構成要素を任意の好適な構成で有する任意の好適なコンピュータ・システムを企図する。
【００３８】
特定の実施形態では、プロセッサ３０２は、コンピュータ・プログラムを構成するものなど命令を実行するためのハードウェアを含む。限定するものとしてではなく一例として、命令を実行するために、プロセッサ３０２は、内部レジスタ、内部キャッシュ、メモリ３０４、またはストレージ３０６から命令を取り出し（またはフェッチし）、それらを復号および実行し、次いで、１または複数の結果を内部レジスタ、内部キャッシュ、メモリ３０４、またはストレージ３０６に書き込む。特定の実施形態では、プロセッサ３０２は、データ、命令、またはアドレス用に１または複数の内部キャッシュを含んでもよい。この開示は、適切な場合、任意の好適な数の任意の好適な内部キャッシュを含むプロセッサ３０２を企図する。限定するものとしてではなく一例として、プロセッサ３０２は、１または複数の命令キャッシュ、１または複数のデータ・キャッシュ、および１または複数の変換索引バッファ（ＴＬＢ）を含んでもよい。命令キャッシュ内の命令は、メモリ３０４またはストレージ３０６内の命令のコピーであってもよく、命令キャッシュは、プロセッサ３０２によるこれらの命令の取り出しを高速化する。データ・キャッシュ内のデータは、プロセッサ３０２にて実行される命令が操作するための、メモリ３０４またはストレージ３０６内のデータのコピー、プロセッサ３０２で実行される後続の命令によるアクセスのための、またはメモリ３０４もしくはストレージ３０６に書き込むための、プロセッサ３０２で実行された以前の命令の結果、あるいは他の好適なデータであってもよい。データ・キャッシュは、プロセッサ３０２による読出しまたは書込み動作を高速化する。ＴＬＢは、プロセッサ３０２のために仮想アドレス変換を高速化する。特定の実施形態では、プロセッサ３０２は、データ、命令、またはアドレス用に１または複数の内部レジスタを含む。この開示は、適切な場合、任意の好適な数の任意の好適な内部レジスタを含むプロセッサ３０２を企図する。適切な場合、プロセッサ３０２は、１または複数の算術論理演算ユニット（ＡＬＵ）を含むことができ、マルチコア・プロセッサであってもよく、１または複数のプロセッサ３０２を含んでもよい。この開示は、特定のプロセッサについて記載し示しているが、この開示は、任意の好適なプロセッサを企図する。
【００３９】
特定の実施形態では、メモリ３０４は、プロセッサ３０２が実行するための命令、またはプロセッサ３０２が操作するためのデータを記憶するための主記憶装置を含む。限定するものとしてではなく一例として、コンピュータ・システム３００は、ストレージ３０６または別のソース（たとえば、別のコンピュータ・システム３００など）からメモリ３０４に命令をロードする。次いで、プロセッサ３０２は、メモリ３０４から内部レジスタまたは内部キャッシュに命令をロードする。命令を実行するために、プロセッサ３０２は、内部レジスタまたは内部キャッシュから命令を取り出し、それらを復号する。命令の実行中、または実行後、プロセッサ３０２は、１または複数の結果（中間結果であることも最終結果であることもある）を内部レジスタまたは内部キャッシュに書き込む。次いで、プロセッサ３０２は、それらの結果の１または複数をメモリ３０４に書き込む。特定の実施形態では、プロセッサ３０２は、１もしくは複数の内部レジスタもしくは内部キャッシュ内、または（ストレージ３０６もしくは他の場所ではなく）メモリ３０４内の命令だけを実行し、１もしくは複数の内部レジスタもしくは内部キャッシュ内、または（ストレージ８０６もしくは他の場所ではなく）メモリ３０４内のデータだけを操作する。１または複数のメモリ・バス（それぞれがアドレス・バスとデータ・バスを含むことがある）がプロセッサ３０２をメモリ３０４に結合してもよい。バス３１２は、下記に記載されているように、１または複数のメモリ・バスを含んでもよい。特定の実施形態では、１または複数のメモリ管理ユニット（ＭＭＵ）が、プロセッサ３０２とメモリ３０４との間に存在し、プロセッサ３０２によって要求されるメモリ３０４へのアクセスを容易にする。特定の実施形態では、メモリ３０４は、ランダム・アクセス・メモリ（ＲＡＭ）を含む。このＲＡＭは、適切な場合、揮発性メモリであり得る。適切な場合、このＲＡＭは、ダイナミックＲＡＭ（ＤＲＡＭ）またはスタティックＲＡＭ（ＳＲＡＭ）であってよい。さらに、適切な場合、このＲＡＭは、シングルポート型またはマルチポート型ＲＡＭであってよい。この開示は、任意の好適なＲＡＭを企図する。メモリ３０４は、適切な場合、１または複数のメモリ３０４を含んでもよい。この開示は、特定のメモリについて記載し示しているが、この開示は、任意の好適なメモリを企図する。
【００４０】
特定の実施形態では、ストレージ３０６は、データまたは命令用のマス・ストレージを含む。限定するものとしてではなく一例として、ストレージ３０６は、ハード・ディスク・ドライブ（ＨＤＤ）、フロッピー（登録商標）ディスク・ドライブ、フラッシュ・メモリ、光ディスク、光磁気ディスク、磁気テープ、もしくはユニバーサル・シリアル・バス（ＵＳＢ）ドライブ、またはこれらの２以上の組合せを含んでもよい。ストレージ３０６は、適切な場合、取外し式または非取外し式（または固定）媒体を含んでもよい。ストレージ３０６は、適切な場合、コンピュータ・システム３００に対して内部であっても外部であってもよい。特定の実施形態では、ストレージ３０６は、不揮発性のソリッドステート・メモリである。特定の実施形態では、ストレージ３０６は、読出し専用メモリ（ＲＯＭ）を含む。適切な場合、このＲＯＭは、マスクプログラムドＲＯＭ、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、電気的書き換え可能ＲＯＭ（ＥＡＲＯＭ）、もしくはフラッシュ・メモリ、またはこれらの２以上の組合せであってよい。この開示は、任意の好適な物理形態をとるマス・ストレージ３０６を企図する。ストレージ３０６は、適切な場合、プロセッサ３０２とストレージ３０６の間の通信を容易にする１または複数のストレージ制御ユニットを含んでもよい。適切な場合、ストレージ３０６は、１または複数のストレージ３０６を含んでもよい。この開示は、特定のストレージについて記載し示しているが、この開示は、任意の好適なストレージを企図する。
【００４１】
特定の実施形態では、Ｉ／Ｏインターフェース３０８は、コンピュータ・システム３００と１または複数のＩ／Ｏデバイスとの間の通信のために１または複数のインターフェースを提供するハードウェア、ソフトウェア、またはその両方を含む。コンピュータ・システム３００は、適切な場合、これらのＩ／Ｏデバイスの１または複数を含んでもよい。これらのＩ／Ｏデバイスの１または複数は、人とコンピュータ・システム３００の間の通信を可能にする。限定するものとしてではなく一例として、Ｉ／Ｏデバイスは、キーボード、キーパッド、マイクロフォン、モニタ、マウス、プリンタ、スキャナ、スピーカ、スチル・カメラ、スタイラス、タブレット、タッチ・スクリーン、トラックボール、ビデオ・カメラ、別の好適なＩ／Ｏデバイス、またはこれらの２以上の組合せを含んでもよい。Ｉ／Ｏデバイスは、１または複数のセンサを含んでもよい。この開示は、任意の好適なＩ／Ｏデバイス、およびそれらのための任意の好適なＩ／Ｏインターフェース３０８を企図する。適切な場合、Ｉ／Ｏインターフェース３０８は、プロセッサ３０２がこれらのＩ／Ｏデバイスの１または複数を駆動することを可能にする１または複数のデバイスまたはソフトウェア・ドライバを含む。Ｉ／Ｏインターフェース３０８は、適切な場合、１または複数のＩ／Ｏインターフェース３０８を含んでもよい。この開示は、特定のＩ／Ｏインターフェースについて記載し示しているが、この開示は、任意の好適なＩ／Ｏインターフェースを企図する。
【００４２】
特定の実施形態では、通信インターフェース３１０は、コンピュータ・システム３００と１もしくは複数の他のコンピュータ・システム３００または１もしくは複数のネットワークとの間の通信（たとえば、パケットベースの通信など）のために１または複数のインターフェースを提供するハードウェア、ソフトウェア、またはその両方を含む。限定するものとしてではなく一例として、通信インターフェース３１０は、ＥＴＨＥＲＮＥＴ（登録商標）もしくは他の有線ベースのネットワークとの通信のためのインターフェース・コントローラ（ＮＩＣ）もしくはネットワーク・アダプタ、またはＷＩ−ＦＩネットワークなど無線ネットワークとの通信のための無線ＮＩＣ（ＷＮＩＣ）もしくは無線アダプタを含んでもよい。この開示は、任意の好適なネットワーク、およびそのための任意の好適な通信インターフェース３１０を企図する。限定するものとしてではなく一例として、コンピュータ・システム３００は、アドホック・ネットワーク、パーソナル・エリア・ネットワーク（ＰＡＮ）、ローカル・エリア・ネットワーク（ＬＡＮ）、ワイド・エリア・ネットワーク（ＷＡＮ）、メトロポリタン・エリア・ネットワーク（ＭＡＮ）、またはインターネットの１もしくは複数の部分、あるいはこれらの２以上の組合せと通信する。これらのネットワークの１または複数のうちの１または複数の部分は、有線であっても無線であってもよい。一例として、コンピュータ・システム３００は、無線ＰＡＮ（ＷＰＡＮ）（たとえば、ＢＬＵＥＴＯＯＴＨ（登録商標）ＷＰＡＮなど）、ＷＩ−ＦＩネットワーク、ＷＩ−ＭＡＸネットワーク、携帯電話ネットワーク（たとえば、グローバル移動体通信システム（ＧＳＭ（登録商標））ネットワークなど）、もしくは他の好適な無線ネットワーク、またはこれらの２以上の組合せと通信する。コンピュータ・システム３００は、適切な場合、これらのネットワークのいずれかのための任意の好適な通信インターフェース３１０を含んでもよい。通信インターフェース３１０は、適切な場合、１または複数の通信インターフェース３１０を含んでもよい。この開示は、特定の通信インターフェースについて記載し示しているが、この開示は、任意の好適な通信インターフェースを企図する。
【００４３】
特定の実施形態では、バス３１２は、コンピュータ・システム３００の構成要素を互いに結合するハードウェア、ソフトウェア、またはその両方を含む。限定するものとしてではなく一例として、バス３１２は、アクセラレィティッド・グラフィックス・ポート（ＡＧＰ）もしくは他のグラフィックス・バス、ＥＩＳＡ（Ｅｎｈａｎｃｅｄ  Ｉｎｄｕｓｔｒｙ  Ｓｔａｎｄａｒｄ  Ａｒｃｈｉｔｅｃｔｕｒｅ）バス、フロントサイド・バス（ＦＳＢ）、ＨＴ（ＨＹＰＥＲＴＲＡＮＳＰＯＲＴ）相互接続、ＩＳＡ（Ｉｎｄｕｓｔｒｙ  Ｓｔａｎｄａｒｄ  Ａｒｃｈｉｔｅｃｔｕｒｅ）バス、インフィニバンド相互接続、ＬＰＣ（ｌｏｗ−ｐｉｎ−ｃｏｕｎｔ）バス、メモリ・バス、ＭＣＡ（Ｍｉｃｒｏ  Ｃｈａｎｎｅｌ  Ａｒｃｈｉｔｅｃｔｕｒｅ）バス、ＰＣＩ（Ｐｅｒｉｐｈｅｒａｌ  Ｃｏｍｐｏｎｅｎｔ  Ｉｎｔｅｒｃｏｎｎｅｃｔ）バス、ＰＣＩエクスプレス（ＰＣＩｅ）バス、ＳＡＴＡ（ｓｅｒｉａｌ  ａｄｖａｎｃｅｄ  ｔｅｃｈｎｏｌｏｇｙ  ａｔｔａｃｈｍｅｎｔ）バス、ＶＬＢ（Ｖｉｄｅｏ  Ｅｌｅｃｔｒｏｎｉｃｓ  Ｓｔａｎｄａｒｄｓ  Ａｓｓｏｃｉａｔｉｏｎ  ｌｏｃａｌ）バス、もしくは別の好適なバス、またはこれらの２以上の組合せを含んでもよい。バス３１２は、適切な場合、１または複数のバス３１２を含んでもよい。この開示は、特定のバスについて記載し示しているが、この開示は、任意の好適なバスまたは相互接続を企図する。
【００４４】
本明細書では、１または複数の非一時的コンピュータ可読記憶媒体は、適切な場合、１または複数の半導体ベースの、もしくは他の集積回路（ＩＣ）（たとえば、フィールド・プログラマブル・ゲート・アレイ（ＦＰＧＡ）または特定用途向けＩＣ（ＡＳＩＣ））、ハード・ディスク・ドライブ（ＨＤＤ）、ハイブリッド・ハード・ドライブ（ＨＨＤ）、光ディスク、光ディスク・ドライブ（ＯＤＤ）、光磁気ディスク、光磁気ドライブ、フロッピー（登録商標）・ディスケット、フロッピー（登録商標）・ディスク・ドライブ（ＦＤＤ）、磁気テープ、ソリッドステート・ドライブ（ＳＳＤ）、ＲＡＭドライブ、セキュア・デジタル・カードもしくはセキュア・デジタル・ドライブ、任意の他の好適な非一時的コンピュータ可読記憶媒体、またはこれらの２以上の組合せを含んでもよい。非一時的コンピュータ可読記憶媒体は、適切な場合、揮発性、不揮発性、または揮発性と不揮発性の組合せであってよい。
【００４５】
本明細書では、「または（もしくは）」は、別段明確に示されていない限り、または別段文脈によって示されない限り、包括的（ｉｎｃｌｕｓｉｖｅ）であり、排他的なものではない。したがって、本明細書では、「ＡまたはＢ」は、別段明確に示されていない限り、または別段文脈によって示されない限り、「Ａ、Ｂ、またはその両方」を意味する。さらに、「および」は、別段明確に示されていない限り、または別段文脈によって示されない限り、共同であり、個別的でもある。したがって、本明細書では、「ＡおよびＢ」は、別段明確に示されていない限り、または別段文脈によって示されない限り、「ＡおよびＢを共同で、または個別的に」意味する。
【００４６】
この開示の範囲は、当業者であれば理解するであろう、本明細書に記載され、または示されている例示的な実施形態に対する変更、置換、変形、代替、および修正すべてを包含する。この開示の範囲は、本明細書に記載され、または示されている例示的な実施形態に限定されない。さらに、この開示は、それぞれの実施形態について、本明細書では、特定の構成要素、要素、機能、動作、またはステップを含むものとして記載し示しているが、これらの実施形態のいずれも、当業者であれば理解するであろう、本明細書のどこかに記載され、または示されている構成要素、要素、機能、動作、またはステップのいずれかの任意の組合せまたは並べ替えを含んでもよい。さらに、添付の特許請求の範囲において、特定の機能を実施するように適合された、するように配置された、することが可能な、するように構成された、することが可能である、するように動作可能である、またはするように動作する装置もしくはシステム、または装置もしくはシステムの構成要素に言及することは、その装置、システム、または構成要素がそのように適合され、配置され、動作可能であり、構成され、可能であり、動作可能であり、動作する限り、それ、またはその特定の機能が作動される、オンにされる、またはロック解除されるか否かにかかわらず、その装置、システム、構成要素を包含する。
【図１Ａ】
2016533593.tif 000003
【図１Ｂ】
2016533593.tif 000004
【図１Ｃ】
2016533593.tif 000005
【図１Ｄ】
2016533593.tif 000006
【図１Ｅ】
2016533593.tif 000007
【図１Ｆ】
2016533593.tif 000008
【図２】
2016533593.tif 000009
【図３】
2016533593.tif 000010
【国際調査報告】
2016533593.tif 000011
2016533593.tif 000012